(57)【要約】      （修正有）【課題】商品情報の提供を効率的に行うことを可能とする画像生成プログラム、画像生成装置、画像生成方法、広告編集プログラム、広告編集装置及び広告編集方法を提供する。【解決手段】商品情報の表示に含める文字情報を受け付け、受け付けた文字情報を含む商品情報の表示の印刷用画像を生成し、生成された印刷用画像と、印刷用画像を含む撮像画像を受け付けた場合に撮像画像上に重畳表示される情報とを対応付けて記憶させる、処理をコンピュータに実行させる。【選択図】図２
2018147137.tif 000002
【特許請求の範囲】
【請求項１】
商品情報の表示に含める文字情報を受け付け、
受け付けた前記文字情報を含む商品情報の表示の印刷用画像を生成し、
生成された前記印刷用画像と、前記印刷用画像を含む撮像画像を受け付けた場合に前記撮像画像上に重畳表示される情報とを対応付けて記憶させる、
処理をコンピュータに実行させることを特徴とする画像生成プログラム。
【請求項２】
前記撮像画像上に重畳表示される情報は、言語種別と対応付けて記憶されており、
前記撮像画像に重畳表示される情報は、指定された言語種別と対応付いた前記撮像画像上に重畳表示される情報である、
ことを特徴とする請求項１に記載の画像生成プログラム。
【請求項３】
端末装置から前記印刷用画像を含む撮像画像を受け付けた場合、前記撮像画像上に重畳表示される情報を前記端末装置に送信する、
ことを特徴とする請求項１に記載の画像生成プログラム。
【請求項４】
前記送信する処理は、前記撮像画像に重畳表示される情報とともに、前記印刷用画像に含まれる各情報の前記印刷用画像における位置情報の送信を行う、
ことを特徴とする請求項３に記載の画像生成プログラム。
【請求項５】
前記端末装置から、前記撮像画像上に重畳表示される情報が前記撮像画像上に重畳表示された回数を示す情報を受け付け、
受け付けた前記重畳表示された回数を示す情報を記憶させる、
ことを特徴とする請求項３に記載の画像生成プログラム。
【請求項６】
前記端末装置から、前記撮像画像上に重畳表示される情報が前記撮像画像上に重畳表示された時間帯を示す情報を受け付け、
受け付けた前記重畳表示された時間帯を示す情報を記憶させる、
ことを特徴とする請求項３に記載の画像生成プログラム。
【請求項７】
商品情報の表示に含める文字情報を受け付ける文字情報受付部と、
受け付けた前記文字情報を含む商品情報の表示の印刷用画像を生成する画像生成部と、
生成された前記印刷用画像と、前記印刷用画像を含む撮像画像を受け付けた場合に前記撮像画像上に重畳表示される情報とを対応付けて記憶させる情報生成部と、
を有することを特徴とする画像生成装置。
【請求項８】
商品情報の表示に含める文字情報を受け付け、
受け付けた前記文字情報を含む商品情報の表示の印刷用画像を生成し、
生成された前記印刷用画像と、前記印刷用画像を含む撮像画像を受け付けた場合に前記撮像画像上に重畳表示される情報とを対応付けて記憶させる、
処理をコンピュータに実行させることを特徴とする画像生成方法。
【請求項９】
入力されたデータに基づいて広告画像を生成し、
生成した前記広告画像を印刷するとともに、ＡＲマーカーを管理する管理装置に、生成された前記広告画像をＡＲマーカーとして登録し、
登録した前記ＡＲマーカーに対応づけて、前記ＡＲマーカーの検出元に提供するコンテンツを登録する、
処理をコンピュータに実行させることを特徴とする広告編集プログラム。
【請求項１０】
入力されたデータに基づいて広告画像を生成する画像生成部と、
生成した前記広告画像を印刷するとともに、ＡＲマーカーを管理する管理装置に、生成された前記広告画像をＡＲマーカーとして登録し、登録した前記ＡＲマーカーに対応づけて、前記ＡＲマーカーの検出元に提供するコンテンツを登録する情報生成部と、
を有することを特徴とする広告編集装置。
【請求項１１】
入力されたデータに基づいて広告画像を生成し、
生成した前記広告画像を印刷するとともに、ＡＲマーカーを管理する管理装置に、生成された前記広告画像をＡＲマーカーとして登録し、
登録した前記ＡＲマーカーに対応づけて、前記ＡＲマーカーの検出元に提供するコンテンツを登録する、
処理をコンピュータに実行させることを特徴とする広告編集方法。
【発明の詳細な説明】
【技術分野】
【０００１】
本発明は、画像生成プログラム、画像生成装置、画像生成方法、広告編集プログラム、広告編集装置及び広告編集方法に関する。
【背景技術】
【０００２】
近年、家電量販店等の小売店（以下、単に小売店とも呼ぶ）では、外国人の観光客の増加に伴い、例えば、外国人客に対して商品情報を提供するための各種方法を採用している。
【０００３】
具体的に、小売店では、例えば、複数の言語による商品情報（商品ＰＯＰによる商品説明）の表示や、来店数が特に多い外国人客向けの売り場の設置等を行う。また、小売店では、例えば、複数の言語による商品情報を掲載したＷｅｂサイトを構築し、商品バーコードやＱＲコード（登録商標）を利用することによって外国人客をＷｅｂサイトに誘導する。
【０００４】
これにより、小売店では、日本人客だけでなく、外国人客による売り上げの確保を図ることが可能になる（例えば、特許文献１及び２参照）。
【先行技術文献】
【特許文献】
【０００５】
【特許文献１】特開２０１４−２１５９６５号公報
【特許文献２】特開２０１５−０１１４９４号公報
【発明の概要】
【発明が解決しようとする課題】
【０００６】
しかしながら、例えば、商品陳列棚等においてスペースを十分に確保することができない小売店では、複数の言語による商品情報の記載を行うことができない場合がある。また、特定の国の外国人客向けの売り場を設置した場合、その売り場は、日本人客だけでなく、特定の国以外の外国人客による売り上げが見込めない売り場になる可能性がある。さらに、Ｗｅｂサイトへの外国人客の誘導は、外国人客の商品の購入意欲を減退させる可能性がある。
【０００７】
そこで、一つの実施の形態の目的は、商品情報の提供を効率的に行うことを可能とする画像生成プログラム、画像生成装置、画像生成方法、広告編集プログラム、広告編集装置及び広告編集方法を提供することにある。
【課題を解決するための手段】
【０００８】
実施の形態の一つの側面によれば、商品情報の表示に含める文字情報を受け付け、受け付けた前記文字情報を含む商品情報の表示の印刷用画像を生成し、生成された前記印刷用画像と、前記印刷用画像を含む撮像画像を受け付けた場合に前記撮像画像上に重畳表示される情報とを対応付けて記憶させる、処理をコンピュータに実行させる。
【発明の効果】
【０００９】
一つの側面によれば、商品情報の提供を効率的に行うことを可能とする。
【図面の簡単な説明】
【００１０】
【図１】図１は、情報処理システム１０の全体構成を示す図である。
【図２】図２は、第１の実施の形態における画像生成処理の概略を説明するフローチャートである。
【図３】図３は、情報処理装置１のハードウエア構成を示す図である。
【図４】図４は、携帯端末２のハードウエア構成を示す図である。
【図５】図５は、情報処理装置１の機能ブロック図である。
【図６】図６は、携帯端末２の機能ブロック図である。
【図７】図７は、第１の実施の形態における画像生成処理の詳細を説明するフローチャートである。
【図８】図８は、第１の実施の形態における画像生成処理の詳細を説明するフローチャートである。
【図９】図９は、第１の実施の形態における画像生成処理の詳細を説明するフローチャートである。
【図１０】図１０は、第１の実施の形態における画像生成処理の詳細を説明するフローチャートである。
【図１１】図１１は、第１の実施の形態における画像生成処理の詳細を説明するフローチャートである。
【図１２】図１２は、第１の実施の形態における画像生成処理の詳細を説明するフローチャートである。
【図１３】図１３は、第１商品情報１３２の具体例を説明する図である。
【図１４】図１４は、レイアウト情報１３１の具体例を説明する図である。
【図１５】図１５は、印刷用画像１３３の具体例を説明する図である。
【図１６】図１６は、印刷用画像１３３の具体例を説明する図である。
【図１７】図１７は、印刷用画像１３３の具体例を説明する図である。
【図１８】図１８は、対応情報１３４の具体例を説明する図である。
【図１９】図１９は、第２商品情報１３５の具体例を説明する図である。
【図２０】図２０は、第２商品情報１３５の具体例を説明する図である。
【図２１】図２１は、表示結果情報１３６の具体例を説明する図である。
【図２２】図２２は、表示結果情報１３６の具体例を説明する図である。
【発明を実施するための形態】
【００１１】
［情報処理システムの構成］
図１は、情報処理システム１０の全体構成を示す図である。図１に示す情報処理システム１０は、情報処理装置１（以下、画像生成装置１または広告編集装置１とも呼ぶ）と、携帯端末２（以下、単に端末２とも呼ぶ）と、操作端末３によって構成される。図１に示す情報処理システム１０においては、携帯端末２ａ、２ｂ、２ｃ、２ｄ及び２ｅが存在している。
【００１２】
情報処理装置１は、１台以上の物理マシンによって構成される。そして、情報処理装置１は、例えば、各商品の日本語による商品情報を含む印刷用画像（商品ＰＯＰとして用いる広告画像）を生成（編集）する。また、情報処理装置１は、例えば、生成した印刷用画像に含まれる日本語による商品情報に対応する外国語の商品情報を生成する。具体的に、情報処理装置１は、例えば、小売店の担当者が操作端末３を介して入力した文字情報から、日本語による商品情報を含む印刷用画像と、外国語による商品情報との生成を行う。その後、情報処理装置１は、生成した印刷用画像と、外国語による商品情報を対応付けて記憶する。なお、以下、情報処理装置１が行う上記の処理を画像生成処理とも呼ぶ。
【００１３】
携帯端末２は、例えば、小売店への来店客が有するスマートフォン等の端末である。そして、携帯端末２は、例えば、情報処理装置１にアクセスを行い、必要な情報の送受信を行う。
【００１４】
図１の例において、情報処理装置１は、インターネット網等のネットワークＮＷを介して、アクセスポイントＡＰと有線通信を行う。アクセスポイントＡＰは、無線通信を行う携帯端末２をネットワークＮＷに接続させるための機器である。図１に示す情報処理システム１０においては、アクセスポイントＡＰ１及びＡＰ２が存在している。
【００１５】
また、図１の例において、携帯端末２は、アクセスポイントＡＰと無線通信を行う。各携帯端末２は、例えば、ＷｉＦｉ（登録商標：Ｗｉｒｅｌｅｓｓ  Ｆｉｄｅｌｉｔｙ）等の無線ＬＡＮ（Ｌｏｃａｌ  Ａｒｅａ  Ｎｅｔｗｏｒｋ）を利用することにより、無線通信を行う。これにより、図１の例における情報処理装置１は、アクセスポイントＡＰを介して、各携帯端末２と通信を行うことが可能になる。なお、各携帯端末２は、ＬＴＥ（Ｌｏｎｇ  Ｔｅｒｍ  Ｅｖｏｌｕｔｉｏｎ）や３Ｇ（Ｔｈｉｒｄ  Ｇｅｎｅｒａｔｉｏｎ）等を利用し、移動体通信網（図示しない）を介してネットワークＮＷと無線通信を行うものであってもよい。
【００１６】
［第１の実施の形態の概略］
次に、第１の実施の形態の概略について説明する。図２は、第１の実施の形態における画像生成処理の概略を説明するフローチャートである。
【００１７】
情報処理装置１は、図２に示すように、文字情報を受け付けるまで待機する（Ｓ１のＮＯ）。文字情報は、例えば、小売店の担当者が操作端末３を介して情報処理装置１に入力する情報であって、印刷用画像に含められる日本語による文字情報である。
【００１８】
そして、文字情報を受け付けた場合（Ｓ１のＹＥＳ）、情報処理装置１は、受け付けた文字情報を含む商品情報の表示の印刷用画像を生成する（Ｓ２）。
【００１９】
その後、情報処理装置１は、Ｓ２の処理で生成された印刷用画像と、Ｓ２の処理で生成された印刷用画像を含む撮像画像またはＳ２の処理で生成された印刷用画像を示す識別情報を受け付けた場合に携帯端末２における撮像画像上に重畳表示される情報（以下、コンテンツとも呼ぶ）とを対応付けて記憶させる（Ｓ３）。具体的に、情報処理装置１は、例えば、Ｓ２の処理で生成された印刷用画像と、Ｓ２の処理で生成された印刷用画像に含まれる日本語による商品情報に対応する外国語の商品情報とを対応付けて記憶する。
【００２０】
すなわち、本実施の形態における情報処理装置１及び携帯端末２では、生成した印刷用画像をＡＲ（Ａｕｇｍｅｎｔｅｄ  Ｒｅａｌｉｔｙ）マーカーとして機能させる。具体的に、携帯端末２は、例えば、携帯端末２のカメラによって画像（動画）の撮影が行われている場合、撮影した画像（動画）の中から、印刷用画像（ＡＲマーカー）の検知を行う。そして、携帯端末２は、印刷用画像を検知した場合、検知した印刷用画像を含む撮像画像または検知した印刷用画像を示す識別情報を情報処理装置１に送信する。一方、情報処理装置１は、携帯端末２によって検知された印刷用画像を含む撮像画像等を携帯端末２から受け付けた場合、受け付けた印刷用画像と対応付けて情報処理装置１に記憶された情報（例えば、外国語による商品情報）を特定し、特定した情報を携帯端末２に送信する。その後、携帯端末２は、例えば、情報処理装置１から受け付けた情報を、印刷用画像を含む撮像画像上に重畳表示する。
【００２１】
これにより、情報処理装置１は、外国人客に対する商品情報の表示や特定の国の外国人客向けの売り場の設置のためのスペースを店舗内に確保することなく、外国人客に対して外国語による商品情報の提供を行うことが可能になる。また、情報処理装置１は、外国人客をＷｅｂサイトに誘導することなく、外国人客に対して外国語による商品情報の提供を行うことが可能になる。そのため、情報処理装置１は、外国人客に対する商品情報の提供を効率的に行うことが可能になる。
【００２２】
さらに、情報処理装置１は、携帯端末２において、印刷用画像を含む撮像画像上に外国語による商品情報を重畳表示させることで、実際の商品を見ながら商品の購入を行っているという感覚を損なわせることなく、外国人客に対して外国語による商品情報の提供を行うことが可能になる。
【００２３】
［情報処理装置のハードウエア構成］
次に、情報処理装置１のハードウエア構成について説明する。図３は、情報処理装置１のハードウエア構成を示す図である。情報処理装置１は、プロセッサであるＣＰＵ１０１と、ＲＡＭ（Ｒａｎｄｏｍ  Ａｃｃｅｓｓ  Ｍｅｍｏｒｙ）等のメモリ１０２とを有する。また、情報処理装置１は、ネットワークＮＷ及びアクセスポイントＡＰを介して携帯端末２とアクセスするための通信装置１０３と、記憶領域を有する記憶媒体１０４と、印刷用画像等の印刷を行う印刷装置１０５とを有する。各部は、バス１０７を介して互いに接続される。なお、印刷装置１０５は、情報処理装置１の外部に設けられるものであってもよい。
【００２４】
記憶媒体１０４は、例えば、記憶媒体１０４内のプログラム格納領域（図示しない）に、画像生成処理を行うためのプログラム１１０を記憶する。また、記憶媒体１０４は、画像生成処理を行う際に用いられる情報を記憶する情報格納領域１３０を有する。なお、記憶媒体１０４は、例えば、ハードディスクドライブ（ＨＤＤ：Ｈａｒｄ  Ｄｉｓｋ  Ｄｒｉｖｅ）や、ソリッドステートドライブ（ＳＳＤ：Ｓｏｌｉｄ  Ｓｔａｔｅ  Ｄｒｉｖｅ）等の大容量記憶装置である。また、記憶媒体１０４は、情報処理装置１の外部に設けられた記憶装置（以下、情報管理装置とも呼ぶ）からなるものであってもよい。
【００２５】
そして、ＣＰＵ１０１は、プログラム１１０の実行時に、プログラム１１０を記憶媒体１０４からメモリ１０２にロードし、プログラム１１０と協働して画像生成処理を行う。
【００２６】
［携帯端末のハードウエア構成］
図４は、携帯端末２のハードウエア構成を示す図である。携帯端末２は、プロセッサであるＣＰＵ２０１と、ＲＡＭ等のメモリ２０２とを有する。また、携帯端末２は、アクセスポイントＡＰとアクセスするための通信装置２０３と、記憶領域を有する記憶媒体２０４と、カメラ等である撮像装置２０５と、撮像装置２０５が撮影した動画等を出力（表示）する出力装置２０６とを有する。各部は、バス２０７を介して互いに接続される。
【００２７】
記憶媒体２０４は、例えば、記憶媒体２０４内のプログラム格納領域（図示しない）に、画像生成処理を行うためのプログラム２１０を記憶する。また、記憶媒体２０４は、画像生成処理を行う際に用いられる情報を記憶する情報格納領域２３０を有する。なお、記憶媒体２０４は、例えば、ハードディスクドライブや、ソリッドステートドライブ等の大容量記憶装置である。
【００２８】
そして、ＣＰＵ２０１は、プログラム２１０の実行時に、プログラム２１０を記憶媒体２０４からメモリ２０２にロードし、プログラム２１０と協働して画像生成処理を行う。
【００２９】
［情報処理システムの機能］
次に、情報処理システム１０の機能ブロック図について説明する。図５は、情報処理装置１の機能ブロック図である。また、図６は、携帯端末２の機能ブロック図である。
【００３０】
情報処理装置１のＣＰＵ１０１は、プログラム１１０と協働することにより、図５に示すように、文字情報受付部１１１と、印刷用画像生成部１１２（以下、画像生成部１１２とも呼ぶ）と、情報生成部１１３と、情報受付部１１４と、情報送信部１１５と、表示結果情報受付部１１６と、情報印刷部１１７として動作する。また、情報格納領域１３０には、例えば、レイアウト情報１３１と、第１商品情報１３２と、印刷用画像１３３と、対応情報１３４と、第２商品情報１３５と、表示結果情報１３６とが記憶されている。
【００３１】
さらに、携帯端末２のＣＰＵ２０１は、プログラム２１０と協働することにより、図６に示すように、画像検知部２１１と、情報送信部２１２と、情報受付部２１３と、情報表示部２１４と、情報生成部２１５と、表示結果情報送信部２１６として動作する。また、情報格納領域２３０には、例えば、言語情報２３１と、印刷用画像１３３と、表示結果情報１３６とが記憶されている。
【００３２】
［情報処理装置の機能］
初めに、情報処理装置１の機能について説明する。図５は、情報処理装置１の機能ブロック図である。
【００３３】
情報処理装置１の文字情報受付部１１１は、商品情報の表示に含める文字情報を受け付ける。具体的に、文字情報受付部１１１は、例えば、小売店の担当者が操作端末３を介して入力した文字情報を受け付ける。
【００３４】
情報処理装置１の印刷用画像生成部１１２は、文字情報受付部１１１が受け付けた文字情報を含む商品情報の表示の印刷用画像１３３を生成する。そして、印刷用画像生成部１１２は、生成した印刷用画像１３３を情報格納領域１３０に記憶する。
【００３５】
情報処理装置１の情報生成部１１３は、例えば、印刷用画像生成部１１２によって生成された印刷用画像１３３と、印刷用画像１３３に表示される文字情報を示す第１商品情報１３２と、携帯端末２における撮像画像上に表示される文字情報を示す第２商品情報１３５とを対応付ける対応情報１３４を生成する。そして、情報生成部１１３は、生成した対応情報１３４を情報格納領域１３０に記憶する。
【００３６】
情報処理装置１の情報受付部１１４は、携帯端末２から印刷用画像１３３を含む撮像画像または印刷用画像１３３を示す識別情報と、言語情報２３１（以下、言語種別情報２３１とも呼ぶ）とを受け付ける。言語情報２３１は、例えば、携帯端末２に予め設定されている使用言語を示す情報である。
【００３７】
情報処理装置１の情報送信部１１５は、情報受付部１１４が携帯端末２から印刷用画像１３３を含む撮像画像等を受け付けた場合、情報格納領域１３０に記憶された対応情報１３４を参照し、受け付けた情報に対応するレイアウト情報１３１と第２商品情報１３５とを特定する。レイアウト情報１３１は、印刷用画像１３３における第１商品情報１３２に含まれる各情報の位置と、携帯端末２における第２商品情報１３５に含まれる各情報の表示位置とを示す情報である。そして、情報送信部１１５は、特定したレイアウト情報１３１と第２商品情報１３５とを携帯端末２に送信する。
【００３８】
情報処理装置１の表示結果情報受付部１１６は、携帯端末２から表示結果情報１３６を受け付ける。表示結果情報１３６は、例えば、第２商品情報１３５に含まれる各情報が携帯端末２における撮像画像上に重畳表示された回数を含む情報である。また、表示結果情報１３６は、例えば、第２商品情報１３５に含まれる各情報が携帯端末２における撮像画像上に重畳表示された時間帯を含む情報である。
【００３９】
情報処理装置１の情報印刷部１１７は、印刷用画像生成部１１２が生成した印刷用画像１３３を印刷する。具体的に、情報印刷部１１７は、印刷用画像生成部１１２が生成した印刷用画像１３３の印刷を印刷装置１０５に指示する。
【００４０】
［携帯端末の機能］
次に、携帯端末２の機能について説明する。図６は、携帯端末２の機能ブロック図である。
【００４１】
携帯端末２の画像検知部２１１は、撮像装置２０５が撮影した画像（動画）の中から印刷用画像１３３の検知を行う。具体的に、情報処理装置１は、例えば、情報格納領域１３０に記憶された印刷用画像１３３（印刷用画像１３３の一部）を予め携帯端末２に送信する。そして、画像検知部２１１は、撮像装置２０５が撮影した画像において、情報処理装置１から予め送信された印刷用画像１３３と同じ部分の検知を行う。
【００４２】
携帯端末２の情報送信部２１２は、画像検知部２１１が印刷用画像１３３を検知した場合、検知した印刷用画像１３３を含む撮像画像または検知した印刷用画像１３３の識別情報と、情報格納領域２３０に記憶された言語情報２３１とを情報処理装置１に送信する。
【００４３】
携帯端末２の情報受付部２１３は、情報処理装置１から送信されたレイアウト情報１３１と第２商品情報１３５とを受け付ける。そして、携帯端末２の情報表示部２１４は、例えば、出力装置２０６における出力画面において、情報受付部２１３が受信した第２商品情報１３５に含まれる各情報を、情報受付部２１３が受信したレイアウト情報１３１が示す各位置に重畳表示する。
【００４４】
携帯端末２の情報生成部２１５は、情報表示部２１４が表示（重畳表示）した第２商品情報１３５の表示結果情報１３６を生成する。
【００４５】
携帯端末２の表示結果情報送信部２１６は、情報生成部２１５が生成した表示結果情報１３６を情報処理装置１に送信する。具体的に、表示結果情報送信部２１６は、例えば、情報生成部２１５が表示結果情報１３６の生成を行ったことに応じて表示結果情報１３６の送信を行う。
【００４６】
［第１の実施の形態の詳細］
次に、第１の実施の形態の詳細について説明する。図７から図１２は、第１の実施の形態における画像生成処理の詳細を説明するフローチャートである。また、図１３から図２２は、第１の実施の形態における画像生成処理の詳細を説明する図である。図１３から図２２を参照しながら、図７から図１２に示す画像生成処理を説明する。
【００４７】
［情報処理装置における画像生成処理の詳細］
初めに、情報処理装置１が行う画像生成処理について説明を行う。図７及び図８は、情報処理装置１が行う画像生成処理を説明する図である。
【００４８】
情報処理装置１の文字情報受付部１１１は、第１商品情報１３２（印刷用画像１３３）に含める文字情報を受け付けるまで待機する（Ｓ１１のＮＯ）。具体的に、文字情報受付部１１１は、小売店の担当者が操作端末を介して文字情報の入力を行うまで待機する。
【００４９】
そして、文字情報を受け付けた場合（Ｓ１１のＹＥＳ）、情報生成部１１３は、Ｓ１１の処理で受け付けた文字情報から第１商品情報１３２を生成する（Ｓ１２）。そして、情報生成部１１３は、生成した第１商品情報１３２を情報格納領域に記憶する。以下、第１商品情報１３２の具体例について説明を行う。
【００５０】
［第１商品情報の具体例］
図１３は、第１商品情報１３２の具体例を説明する図である。図１３に示す第１商品情報１３２は、「商品名」が「○×焼酎」である商品についての第１商品情報１３２の具体例である。
【００５１】
図１３に示す第１商品情報１３２は、各商品を識別する「商品コード」と、各言語を識別する「言語」と、各商品のキャッチコピーがそれぞれ設定される「キャッチコピー（１）」及び「キャッチコピー（２）」とを項目として有している。また、図１３に示す第１商品情報１３２は、各商品の説明文がそれぞれ設定される「商品説明（１）」及び「商品説明（２）」と、各商品の補足説明文が設定される「補足説明」と、各商品の商品名が設定される「商品名」とを項目として有している。さらに、図１３に示す第１商品情報１３２は、各商品の容量が設定される「容量」と、各商品の価格が設定される「価格」と、各商品の商品画像のファイル名が設定される「商品画像」とを項目として有している。
【００５２】
具体的に、図１３に示す第１商品情報１３２には、「商品コード」として「ＡＡＡＡ」が設定され、「言語」として「日本語」が設定され、「キャッチコピー（１）」として「本日の目玉品」が設定され、「キャッチコピー（２）」として「特売品」が設定されている。また、図１３に示す第１商品情報１３２には、「商品説明（１）」として「定番の麦焼酎」が設定され、「商品説明（２）」として「１００年の歴史」が設定され、「商品補足」として「大麦と麦麹を使った、華やかな香りで軽い口当たり」が設定されている。さらに、図１３に示す第１商品情報１３２には、「商品名」として「○×焼酎」が設定され、「容量」として「７２０（ｍｌ）」が設定され、価格として「１９８０（円）」が設定され、「商品画像」として「ＸＸ．ｊｐｇ」が設定されている。
【００５３】
すなわち、第１商品情報１３２は、「商品名」が「○×焼酎」である商品の日本語による印刷用画像１３３を生成するために必要な情報が含まれている。そのため、情報処理装置１は、後述するように、印刷用画像１３３の生成を行う際に、第１商品情報１３２を参照することにより、印刷用画像１３３に含める文字情報を取得することが可能になる。
【００５４】
図７に戻り、印刷用画像生成部１１２は、情報格納領域１３０に記憶されたレイアウト情報１３１を参照し、Ｓ１１の処理で受け付けた文字情報を含む商品情報を表示する印刷用画像１３３を生成する（Ｓ１３）。そして、印刷用画像生成部１１２は、生成した印刷用画像１３３を情報格納領域１３０に記憶する。以下、レイアウト情報１３１の具体例について説明を行う。
【００５５】
［レイアウト情報の具体例］
図１４は、レイアウト情報１３１の具体例を説明する図である。図１４に示すレイアウト情報１３１は、各商品についてのＡ４サイズの印刷用画像１３３を生成する際に参照されるレイアウト情報１３１の具体例である。
【００５６】
図１４に示すレイアウト情報１３１は、レイアウト情報１３１に含まれる各情報を識別する「項番」と、各レイアウトを識別する「レイアウトコード」と、第１商品情報１３２に含まれる各情報の項目を識別する「項目」とを項目として有している。「レイアウトコード」には、例えば、Ａ３サイズのレイアウトを示す「００１」、Ａ４サイズのレイアウトを示す「００２」、または、Ａ５サイズのレイアウトを示す「００３」が設定される。「項目」には、例えば、第１商品情報１３２に含まれる各情報の項目である「キャッチコピー（１）」、「キャッチコピー（２）」、「商品説明（１）」、「商品説明（２）」、「商品補足」、「商品名」、「容量（ｍｌ）」、「価格（円）」、または、「商品画像」が設定される。
【００５７】
また、図１４に示すレイアウト情報１３１は、第１商品情報１３２に含まれる各情報が配置される位置を示す「位置」と、第１商品情報１３２に含まれる各情報のフォントを示す「フォント」とを項目として有する。さらに、図１４に示すレイアウト情報１３１は、第１商品情報１３２に含まれる各情報の文字サイズを示す「文字サイズ」と、第１商品情報１３２に含まれる各情報の文字の色を示す「色」とを項目として有する。
【００５８】
具体的に、図１４に示すレイアウト情報１３１において、「項番」が「１」である情報には、「レイアウトコード」として「００２」が設定され、「項目」として「キャッチコピー（２）」が設定され、「位置」として「２０，５」が設定されている。また、図１４に示すレイアウト情報１３１において、「項番」が「１」である情報には、「フォント」として「ゴシック」が設定され、「文字サイズ」として「１０」が設定され、「色」として「赤」が設定されている。図１４に含まれる他の情報については説明を省略する。
【００５９】
そして、印刷用画像生成部１１２は、Ｓ１３の処理において、例えば、図１３に示す第１商品情報１３２と、図１４に示すレイアウト情報１３１とを参照し、図１５に示す印刷用画像１３３を生成する。
【００６０】
具体的に、図１３に示す第１商品情報１３２において、「キャッチコピー（２）」に対応する欄には、「特売品」という文字が設定されている。そのため、印刷用画像生成部１１２は、例えば、図１４に示すレイアウト情報１３１における「項番」が「１」である情報を参照し、図１５に示すように、Ｘ座標が２０であってＹ座標が５である位置に、文字サイズが２４であってフォントがゴシックである「特売品」という文字を赤字で表示する。また、図１３に示す第１商品情報１３２において、「商品説明（１）」に対応する欄には、「定番の麦焼酎」という文字が設定されている。そのため、印刷用画像生成部１１２は、例えば、図１４に示すレイアウト情報１３１における「項番」が「２」である情報を参照し、図１５に示すように、Ｘ座標が１０であってＹ座標が２５である位置に、文字サイズが１６であってフォントがゴシックである「定番の麦焼酎」という文字を黒字で表示する。図１５に含まれる他の情報については説明を省略する。
【００６１】
さらに、印刷用画像生成部１１２は、Ｓ１３の処理において、各情報を参照して生成した印刷用画像１３３を、情報格納領域１３０に記憶する。これにより、印刷用画像生成部１１２は、後述するように、生成した印刷用画像をＡＲマーカーとしても利用することが可能になる。
【００６２】
なお、小売店の担当者は、同一の商品についてサイズが異なる複数種類の印刷用画像１３３を生成する場合、図１４で説明したレイアウト情報１３１を、印刷用画像１３３を生成するサイズ毎に予め生成するものであってもよい。そして、印刷用画像生成部１１２は、この場合、図１６及び図１７に示すように、図１３で説明した第１商品情報１３２と、印刷用画像１３３のサイズ毎に予め生成されたレイアウト情報１３１のそれぞれとを参照し、各サイズに対応する印刷用画像１３３の生成を行うものであってよい。具体的に、図１６に示す印刷用画像１３３は、「商品名」が「○×焼酎」である商品についてのＡ３サイズの印刷用画像１３３である。また、図１７に示す印刷用画像１３３は、「商品名」が「○×焼酎」である商品についてのＡ５サイズの印刷用画像１３３である。
【００６３】
図７に戻り、情報生成部１１３は、Ｓ１２の処理で生成された第１商品情報１３２と、Ｓ１３の処理で生成された印刷用画像１３３とを対応付けた対応情報１３４を生成し、情報格納領域１３０に記憶する（Ｓ１４）。以下、対応情報１３４の具体例について説明を行う。
【００６４】
［対応情報の具体例］
図１８は、対応情報１３４の具体例を説明する図である。図１８に示す対応情報１３４は、「商品名」が「○×焼酎」である商品についての対応情報１３４の具体例である。
【００６５】
図１８に示す対応情報１３４は、対応情報１３４に含まれる各情報を識別する「項番」と、各商品を識別する「商品コード」と、各レイアウトを識別する「レイアウトコード」と、各印刷用画像１３３を識別する「印刷用画像」とを項目として有している。
【００６６】
具体的に、図１８に示す対応情報１３４において、「項番」が「１」である情報には、「商品コード」として「ＡＡＡＡ」が設定され、「レイアウトコード」として「００１」が設定されている。また、図１８に示す対応情報１３４において、「項番」が「１」である情報には、「印刷用画像」として、図１６で説明したＡ３サイズの印刷用画像１３３のファイル名を示す「ＡＡＡ＿００１．ｊｐｇ」が設定されている。そして、図１８に示す対応情報１３４において、「項番」が「２」である情報には、「商品コード」として「ＡＡＡＡ」が設定され、「レイアウトコード」として「００２」が設定されている。また、図１８に示す対応情報１３４において、「項番」が「２」である情報には、「印刷用画像」として、図１５で説明したＡ４サイズの印刷用画像１３３のファイル名を示す「ＡＡＡ＿００２．ｊｐｇ」が設定されている。さらに、図１８に示す対応情報１３４において、「項番」が「２」である情報には、「商品コード」として「ＡＡＡＡ」が設定され、「レイアウトコード」として「００３」が設定されている。また、図１８に示す対応情報１３４において、「項番」が「３」である情報には、「印刷用画像」として、図１７で説明したＡ５サイズの印刷用画像１３３のファイル名を示す「ＡＡＡ＿００３．ｊｐｇ」が設定されている。
【００６７】
これにより、情報処理装置１は、後述するように、携帯端末２から印刷用画像１３３を含む撮像画像が送信された場合に、対応情報１３４を参照することにより、送信された撮像画像に含まれる印刷用画像１３３に対応する「商品コード」及び「レイアウトコード」を特定することが可能になる。そのため、情報処理装置１は、後述するように、携帯端末２に送信する必要がある情報（レイアウト情報１３１及び第２商品情報１３５）を特定することが可能になる。
【００６８】
図７に戻り、情報処理装置１の情報印刷部１１７は、Ｓ１３の処理で生成した印刷用画像１３３を印刷する（Ｓ１５）。これにより、小売店の担当者は、例えば、印刷された印刷用画像１３３を商品陳列棚等に設置することが可能になる。
【００６９】
その後、文字情報受付部１１１は、図８に示すように、第２商品情報１３５に含める文字情報を受け付けるまで待機する（Ｓ２１のＮＯ）。具体的に、文字情報受付部１１１は、小売店の担当者が操作端末を介して文字情報の入力を行うまで待機する。
【００７０】
すなわち、文字情報受付部１１１は、例えば、Ｓ１１の処理において第１商品情報１３２に含める日本語の文字情報を受け付けた後、第２商品情報１３５に含める外国語の文字情報を受け付けるまで待機する。
【００７１】
その後、第２商品情報１３５に含める文字情報を受け付けた場合（Ｓ２１のＹＥＳ）、情報生成部１１３は、Ｓ１２の処理で生成された第１商品情報１３２と、Ｓ２１の処理で受け付けた文字情報とから第２商品情報１３５を生成する（Ｓ２２）。そして、情報生成部１１３は、生成した第２商品情報１３５を情報格納領域１３０に記憶する。以下、第２商品情報１３５の具体例について説明を行う。
【００７２】
［第２商品情報の具体例］
図１９は、第２商品情報１３５の具体例を説明する図である。図１９に示す第２商品情報１３５は、「商品名」が「○×焼酎」である商品についての第２商品情報１３５の具体例である。
【００７３】
図１９に示す第２商品情報１３５は、図１３で説明した第１商品情報１３２と同じ項目を有している。具体的に、図１９に示す第２商品情報１３５において、「商品コード」には、図１３で説明した第１商品情報１３２の「商品コード」に設定された情報と同じ情報である「ＡＡＡＡ」が設定されている。また、図１９に示す第２商品情報１３５において、「言語」には、「韓国語」が設定されている。さらに、図１９に示す第２商品情報１３５において、「キャッチコピー（１）」、「キャッチコピー（２）」、「商品説明（１）」、「商品説明（２）」、「補足説明」、「商品名」、「容量」、「価格」及び「商品画像」には、図１３で説明した第１商品情報１３２の各項目に設定された情報に対応する韓国語の情報が設定されている。
【００７４】
なお、第２商品情報１３５に含まれる各情報には、必ずしも第１商品情報１３２に含まれている各情報を翻訳した内容が設定される必要はなく、外国人客に対する訴求力が高い他の情報が設定されるものであってよい。
【００７５】
図８に戻り、文字情報受付部１１１は、全ての種類（外国語）に対応する第２商品情報１３５を生成したか否かの判定を行う（Ｓ２３）。具体的に、文字情報受付部１１１は、例えば、小売店の担当者が操作端末３を介して全ての外国語に対応する第２商品情報１３５の生成が終了した旨の情報を入力した場合、全ての外国語に対応する第２商品情報１３５の生成が終了したものと判定するものであってよい。
【００７６】
そして、全ての種類に対応する第２商品情報１３５の生成が終了したものと判定した場合（Ｓ２３のＹＥＳ）、情報処理装置１は、画像生成処理を終了する。
【００７７】
一方、全ての種類に対応する第２商品情報１３５の生成が終了していないと判定した場合（Ｓ２３のＮＯ）、文字情報受付部１１１は、Ｓ２１以降の処理を再度行う。これにより、情報処理装置１は、複数の外国語に対応する第２商品情報１３５の生成を行うことが可能になる。
【００７８】
［携帯端末における情報表示処理（１）］
次に、携帯端末２が行う画像生成処理のうち、第２商品情報１３５に含まれる各情報を携帯端末２に表示する処理（以下、情報表示処理とも呼ぶ）について説明を行う。図９は、携帯端末２が行う情報表示処理を説明する図である。
【００７９】
携帯端末２の画像検知部２１１は、図９に示すように、撮像装置２０５が撮影した画像（動画）の中から、印刷用画像１３３を検知するまで待機する（Ｓ１０１のＮＯ）。具体的に、画像検知部２１１は、例えば、撮像装置２０５が撮影した画像において、情報格納領域２３０に記憶された印刷用画像１３３と同じ部分（例えば、情報格納領域２３０に記憶された印刷用画像１３３との一致割合が所定以上である部分）を検知するまで待機する。
【００８０】
そして、印刷用画像１３３を検知した場合（Ｓ１０１のＹＥＳ）、携帯端末２の情報送信部２１２は、画像検知部２１１が検知した印刷用画像１３３を含む撮像画像または画像検知部２１１が検知した印刷用画像１３３を示す識別情報と、情報格納領域２３０に記憶された言語情報２３１とを情報処理装置１に送信する（Ｓ１０２）。具体的に、情報送信部２１２は、印刷用画像１３３を示す識別情報として、例えば、印刷用画像１３３のファイル名の送信を行うものであってもよい。以下、情報処理装置１における情報表示処理について説明を行う。なお、図９におけるＳ１０３からＳ１０５の処理については後述する。
【００８１】
［情報処理装置における情報表示処理］
図１０は、情報処理装置１が行う情報表示処理を説明する図である。
【００８２】
情報処理装置１の情報受付部１１４は、図１０に示すように、携帯端末２が送信した印刷用画像１３３を含む撮像画像等を受信するまで待機する（Ｓ３１のＮＯ）。そして、印刷用画像１３３を含む撮像画像等を受信した場合（Ｓ３１のＹＥＳ）、情報処理装置１の情報送信部１１５は、情報格納領域１３０に記憶された対応情報１３４を参照し、Ｓ３１の処理で受信した撮像画像に含まれる印刷用画像１３３、または、Ｓ３１の処理で受信した識別情報が示す印刷用画像１３３に対応する第１商品情報１３２を特定する（Ｓ３２）。
【００８３】
具体的に、図１８で説明した対応情報１３４において、「印刷用画像」に「ＡＡＡＡ＿０２．ｊｐｇ」が設定された情報（「項番」が「２」である情報）の「商品コード」には、「ＡＡＡＡ」が設定されている。そのため、Ｓ３１の処理において受信した撮像画像に含まれる印刷用画像１３３のファイル名が「ＡＡＡＡ＿０２．ｊｐｇ」であった場合、情報送信部１１５は、情報格納領域１３０に記憶された第１商品情報１３２のうち、「商品コード」に「ＡＡＡＡ」が設定された第１商品情報１３２（図１３で説明した第１商品情報１３２）を特定する。
【００８４】
そして、情報送信部１１５は、情報格納領域１３０に記憶された第２商品情報１３５のうち、Ｓ３２の処理で特定した第１商品情報１３２に対応する第２商品情報１３５を特定する（Ｓ３３）。
【００８５】
具体的に、図１９で説明した第２商品情報１３５において、「商品コード」には「ＡＡＡＡ」が設定され、「言語」には「韓国語」が設定されている。そのため、Ｓ３１の処理において受信した言語情報２３１が「韓国語」を示している場合、情報送信部１１５は、情報格納領域１３０に記憶された第２商品情報１３５のうち、「商品コード」に「ＡＡＡＡ」が設定され、「言語」に「韓国語」が設定された第２商品情報１３５（図１９で説明した第２商品情報１３５）を特定する。
【００８６】
さらに、情報送信部１１５は、情報格納領域１３０に記憶されたレイアウト情報１３１のうち、Ｓ３１の処理で受信した撮像画像に含まれる印刷用画像１３３、または、Ｓ３１の処理で受信した識別情報が示す印刷用画像１３３に対応するレイアウト情報１３１を特定する（Ｓ３４）。
【００８７】
具体的に、図１８で説明した対応情報１３４において、「印刷用画像」に「ＡＡＡＡ＿０２．ｊｐｇ」が設定された情報（「項番」が「２」である情報）の「レイアウトコード」には、「００２」が設定されている。そのため、Ｓ３１の処理において受信した撮像画像に含まれる印刷用画像１３３が「ＡＡＡＡ＿０２．ｊｐｇ」である場合、情報送信部１１５は、情報格納領域１３０に記憶されたレイアウト情報１３１のうち、「レイアウトコード」に「００２」が設定されたレイアウト情報１３１（図１４で説明したレイアウト情報１３１）を特定する。
【００８８】
そして、情報送信部１１５は、Ｓ３３の処理で特定した第２商品情報１３５と、Ｓ３４の処理で特定したレイアウト情報１３１とを携帯端末２に送信する（Ｓ３６）。以下、携帯端末２が行う画像生成処理のうち、Ｓ１０３以降の処理について説明を行う。
【００８９】
［携帯端末における情報表示処理（２）］
携帯端末の情報受付部２１３は、情報処理装置１からレイアウト情報１３１と第２商品情報１３５とを受信するまで待機する（Ｓ１０３のＮＯ）。そして、レイアウト情報１３１と第２商品情報１３５とを受信した場合（Ｓ１０３のＹＥＳ）、携帯端末２の情報表示部２１４は、出力装置２０６における出力画面において、Ｓ１０３の処理で受信した第２商品情報１３５に含まれる各情報を、Ｓ１０３の処理で受信したレイアウト情報１３１が示す各位置に重畳表示する（Ｓ１０４）。
【００９０】
具体的に、情報表示部２１４は、例えば、図１４に示すレイアウト情報１３１における「項番」が「１」である情報を参照する。そして、情報表示部２１４は、図２０に示すように、図１９に示す第２商品情報１３５における「キャッチコピー（２）」の欄に設定された文字情報を、Ｘ座標が２０であってＹ座標が５である位置（図１５に示す印刷用画像１３３において「特売品」が記載されていた位置）に、文字サイズが２４であってフォントがゴシックである赤字によって重畳表示する。また、情報表示部２１４は、例えば、図１４に示すレイアウト情報１３１における「項番」が「２」である情報を参照する。そして、情報表示部２１４は、図２０に示すように、図１９に示す第２商品情報１３５における「商品説明（１）」の欄に設定された文字情報を、Ｘ座標が１０であってＹ座標が２５である位置（図１５に示す印刷用画像１３３において「定番の麦焼酎」が記載されていた位置）に、文字サイズが１６であってフォントがゴシックである黒字で重畳表示する。図２０に含まれる他の情報については説明を省略する。
【００９１】
すなわち、本実施の形態における情報処理装置は、Ｓ１３の処理で予め生成した印刷用画像１３３をＡＲマーカーとして機能させる。具体的に、携帯端末２は、撮影した画像（動画）の中から印刷用画像１３３の検知を行った場合、検知した印刷用画像１３３をＡＲマーカーとして認識し、検知した印刷用画像１３３に対応するレイアウト情報１３１及び第２商品情報１３５の送信を情報処理装置１に要求する。そして、情報処理装置１は、レイアウト情報１３１及び第２商品情報１３５の送信の要求があった場合、携帯端末２が検知した印刷用画像１３３に対応するレイアウト情報１３１及び第２商品情報１３５を携帯端末２に送信する。その後、携帯端末２は、情報処理装置１から送信されたレイアウト情報１３１の内容に基づいて、情報処理装置１から送信された第２商品情報１３５に含まれる各情報を、検知した印刷用画像１３３を含む撮像画像上に重畳表示する。
【００９２】
これにより、情報処理装置１は、携帯端末２（出力装置２０６）の出力画面上において、例えば、日本語による印刷用画像１３３を含む撮像画像上に、携帯端末２を有する外国人客が理解することができる外国語による情報（第２商品情報１３５に含まれる各情報）を表示することが可能になる。そのため、情報処理装置１は、外国人客に対する商品情報の表示や特定の国の外国人客向けの売り場の設置のための店舗内のスペースを確保することなく、外国人客に対して商品情報の提供を行うことが可能になる。また、情報処理装置１は、外国人客をＷｅｂサイトに誘導することなく、外国人客に対して商品情報の提供を行うことが可能になる。そのため、情報処理装置１は、外国人客に対する商品情報の提供を効率的に行うことが可能になる。
【００９３】
さらに、小売店では、この場合、従来のＡＲマーカーよりもサイズが大きいＡＲマーカーである印刷用画像１３３を設置することが可能になる。そのため、小売店では、外国人客の携帯端末２に、ＡＲマーカーの認識を容易に行わせることが可能になる。
【００９４】
図９に戻り、携帯端末２の情報生成部２１５は、情報表示部２１４が表示（重畳表示）した第２商品情報１３５に含まれる各情報の表示結果情報１３６を生成する（Ｓ１０５）。そして、情報生成部２１５は、生成した表示結果情報１３６を情報格納領域２３０に記憶する。以下、表示結果情報１３６の具体例について説明を行う。
【００９５】
［表示結果情報の具体例］
図２１及び図２２は、表示結果情報１３６の具体例を説明する図である。図２１等に示す表示結果情報１３６は、表示結果情報１３６に含まれる各情報を識別する「項番」と、携帯端末２において第２商品情報１３５が表示された時間帯を示す「表示時間帯」とを項目として有する。また、図２１等に示す表示結果情報１３６は、「表示時間帯」に設定された時間帯に表示された第２商品情報１３５に対応する商品を識別する「商品コード」と、「表示時間帯」に設定された時間帯に表示された第２商品情報１３５に対応するレイアウトを識別する「レイアウトコード」とを項目として有する。さらに、図２１等に示す表示結果情報１３６は、「表示時間帯」に設定された時間帯に表示された第２商品情報１３５に対応する言語情報２３１が設定される「言語情報」と、「表示時間帯」に設定された時間帯に第２商品情報１３５が表示された回数が設定される「表示回数」とを項目として有している。
【００９６】
具体的に、図２１に示す表示結果情報１３６において、「項番」が「１」である情報には、「表示時間帯」として「１２：００−１２：３０」が設定され、「商品コード」として「ＡＡＡＡ」が設定され、「レイアウトコード」として「００２」が設定されている。また、図２１に示す表示結果情報１３６において、「項番」が「１」である情報には、「言語情報」として「韓国語」が設定され、「表示回数」として「２（回）」が設定されている。
【００９７】
すなわち、図２１に示す表示結果情報１３６における「項番」が「１」である情報は、１２時から１２時３０分までの間において、図２０で説明した第２商品情報１３５の表示が２回行われたことを示している。図２１に含まれる他の情報については説明を省略する。
【００９８】
［携帯端末における情報蓄積処理］
次に、携帯端末２が行う画像生成処理のうち、表示結果情報１３６の蓄積を行う処理（以下、情報蓄積処理とも呼ぶ）について説明を行う。図１１は、携帯端末２が行う情報蓄積処理を説明する図である。
【００９９】
携帯端末２の表示結果情報送信部２１６は、図１１に示すように、表示結果情報１３６の送信タイミングまで待機する（Ｓ１１１のＮＯ）。そして、表示結果情報１３６の送信タイミングになった場合（Ｓ１１１のＹＥＳ）、表示結果情報送信部２１６は、情報格納領域２３０に記憶された表示結果情報１３６を情報処理装置１に送信する（Ｓ１１２）。
【０１００】
［情報処理装置における情報蓄積処理］
次に、情報処理装置１が行う画像生成処理のうち、情報蓄積処理について説明を行う。図１２は、情報処理装置１が行う情報蓄積処理を説明する図である。
【０１０１】
情報処理装置１の表示結果情報受付部１１６は、図１２に示すように、携帯端末２から表示結果情報１３６を受け付けるまで待機する（Ｓ４１のＮＯ）。そして、表示結果情報１３６を受け付けた場合（Ｓ４１のＹＥＳ）、表示結果情報受付部１１６は、Ｓ４１の処理で受信した表示結果情報１３６を情報格納領域１３０に記憶する（Ｓ４２）。具体的に、表示結果情報受付部１１６は、図２２に示すように、携帯端末２から送信される表示結果情報１３６を情報格納領域１３０に蓄積する。
【０１０２】
すなわち、表示結果情報１３６は、小売店への来店客が興味を持った可能性が高い商品に関する情報である。そのため、情報処理装置１は、Ｓ４２の処理において、来店客が興味を持った商品を示す情報の蓄積を行うことが可能になる。したがって、小売店の担当者は、情報格納領域１３０に記憶された表示結果情報１３６を参照することで、例えば、より効率的な商品の陳列方法の決定等を行うことが可能になる。
【０１０３】
このように、本実施の形態における情報処理装置１は、第１商品情報１３２の表示に含める文字情報を受け付けたことに応じて、受け付けた文字情報を含む第１商品情報１３２を表示するための印刷用画像１３３を生成する。そして、情報処理装置１は、生成された印刷用画像１３３と、その印刷用画像１３３を含む撮像画像を受け付けた場合に、携帯端末２における印刷用画像１３３を含む撮像画像上に重畳表示される情報（第２商品情報１３５に含まれる各情報）とを対応付けて記憶させる。
【０１０４】
すなわち、本実施の形態における情報処理装置１及び携帯端末２では、生成した印刷用画像１３３をＡＲマーカーとして機能させる。具体的に、携帯端末２は、例えば、携帯端末２のカメラによって画像（動画）の撮影が行われている場合、撮影した画像（動画）の中から、印刷用画像１３３（ＡＲマーカー）の検知を行う。そして、携帯端末２は、印刷用画像１３３を検知した場合、検知した印刷用画像１３３を含む撮像画像または検知した印刷用画像１３３を示す識別情報を情報処理装置１に送信する。一方、情報処理装置１は、例えば、携帯端末２によって検知された印刷用画像１３３を含む撮像画像等を携帯端末２から受け付けた場合、受け付けた印刷用画像１３３と対応付けて情報処理装置１に記憶された情報（例えば、外国語による商品情報）を特定し、特定した情報を携帯端末２に送信する。その後、携帯端末２は、例えば、情報処理装置１から受け付けた情報を、印刷用画像１３３を含む撮像画像上に重畳表示する。
【０１０５】
これにより、情報処理装置１は、外国人客に対する商品情報の表示や特定の国の外国人客向けの売り場の設置のためのスペースを店舗内に確保することなく、外国人客に対して外国語による商品情報の提供を行うことが可能になる。また、情報処理装置１は、外国人客をＷｅｂサイトに誘導することなく、外国人客に対して外国語による商品情報の提供を行うことが可能になる。そのため、情報処理装置１は、外国人客に対する商品情報の提供を効率的に行うことが可能になる。
【０１０６】
なお、情報処理装置１は、Ｓ１０１の処理において携帯端末２が印刷用画像１３３の検知を行う前に、印刷用画像１３３のみでなく、情報処理装置１の情報格納領域１３０に記憶されたレイアウト情報１３１、第１商品情報１３２、対応情報１３４及び第２商品情報１３５の一部を予め携帯端末２に送信するものであってよい。具体的に、情報処理装置１は、例えば、携帯端末２から店舗情報（図示しない）と言語情報２３１が送信された場合、送信された店舗情報に対応する店舗に陳列された商品についてのレイアウト情報１３１、第１商品情報１３２、印刷用画像１３３、対応情報１３４及び第２商品情報１３５のうち、送信された言語情報２３１に対応する各情報を一括して携帯端末２に送信するものであってよい。そして、携帯端末２は、Ｓ１０１の処理において印刷用画像１３３の検知を行った場合、Ｓ３２からＳ３４までの処理を情報処理装置１に代わって行い、特定したレイアウト情報１３１と第２商品情報１３５とに基づいてＳ１０４及びＳ１０５の処理を行うものであってよい。
【０１０７】
これにより、情報処理装置１及び携帯端末２は、Ｓ１０１の処理において印刷用画像１３３の検知が行われる毎に通信を行う必要がなくなる。そのため、携帯端末２は、印刷用画像１３３の検知を行った場合、検知された印刷用画像１３３に対応する第２商品情報１３５に含まれる各情報の表示（重畳表示）を迅速に行うことが可能になる。
【０１０８】
以上の実施の形態をまとめると、以下の付記のとおりである。
【０１０９】
（付記１）
商品情報の表示に含める文字情報を受け付け、
受け付けた前記文字情報を含む商品情報の表示の印刷用画像を生成し、
生成された前記印刷用画像と、前記印刷用画像を含む撮像画像を受け付けた場合に前記撮像画像上に重畳表示される情報とを対応付けて記憶させる、
処理をコンピュータに実行させることを特徴とする画像生成プログラム。
【０１１０】
（付記２）
前記撮像画像上に重畳表示される情報は、言語種別と対応付けて記憶されており、
前記撮像画像に重畳表示される情報は、指定された言語種別と対応付いた前記撮像画像上に重畳表示される情報である、
ことを特徴とする付記１に記載の画像生成プログラム。
【０１１１】
（付記３）
端末装置から前記印刷用画像を含む撮像画像を受け付けた場合、前記撮像画像上に重畳表示される情報を前記端末装置に送信する、
ことを特徴とする付記１に記載の画像生成プログラム。
【０１１２】
（付記４）
前記送信する処理は、前記撮像画像に重畳表示される情報とともに、前記印刷用画像に含まれる各情報の前記印刷用画像における位置情報の送信を行う、
ことを特徴とする付記３に記載の画像生成プログラム。
【０１１３】
（付記５）
前記端末装置から、前記撮像画像上に重畳表示される情報が前記撮像画像上に重畳表示された回数を示す情報を受け付け、
受け付けた前記重畳表示された回数を示す情報を記憶させる、
ことを特徴とする付記３に記載の画像生成プログラム。
【０１１４】
（付記６）
前記端末装置から、前記撮像画像上に重畳表示される情報が前記撮像画像上に重畳表示された時間帯を示す情報を受け付け、
受け付けた前記重畳表示された時間帯を示す情報を記憶させる、
ことを特徴とする付記３に記載の画像生成プログラム。
【０１１５】
（付記７）
商品情報の表示に含める文字情報を受け付ける文字情報受付部と、
受け付けた前記文字情報を含む商品情報の表示の印刷用画像を生成する画像生成部と、
生成された前記印刷用画像と、前記印刷用画像を含む撮像画像を受け付けた場合に前記撮像画像上に重畳表示される情報とを対応付けて記憶させる情報生成部と、
を有することを特徴とする画像生成装置。
【０１１６】
（付記８）
端末装置から前記印刷用画像を含む撮像画像を受け付けた場合、前記撮像画像上に重畳表示される情報を前記端末装置に送信する情報送信部を有することを特徴とする付記７に記載の画像生成装置。
【０１１７】
（付記９）
商品情報の表示に含める文字情報を受け付け、
受け付けた前記文字情報を含む商品情報の表示の印刷用画像を生成し、
生成された前記印刷用画像と、前記印刷用画像を含む撮像画像を受け付けた場合に前記撮像画像上に重畳表示される情報とを対応付けて記憶させる、
処理をコンピュータに実行させることを特徴とする画像生成方法。
【０１１８】
（付記１０）
端末装置から前記印刷用画像を含む撮像画像を受け付けた場合、前記撮像画像上に重畳表示される情報を前記端末装置に送信する、
処理をコンピュータに実行させることを特徴とする付記９に記載の画像生成方法。
【０１１９】
（付記１１）
入力されたデータに基づいて広告画像を生成し、
生成した前記広告画像を印刷するとともに、ＡＲマーカーを管理する管理装置に、生成された前記広告画像をＡＲマーカーとして登録し、
登録した前記ＡＲマーカーに対応づけて、前記ＡＲマーカーの検出元に提供するコンテンツを登録する、
処理をコンピュータに実行させることを特徴とする広告編集プログラム。
【０１２０】
（付記１２）
入力されたデータに基づいて広告画像を生成する画像生成部と、
生成した前記広告画像を印刷するとともに、ＡＲマーカーを管理する管理装置に、生成された前記広告画像をＡＲマーカーとして登録し、登録した前記ＡＲマーカーに対応づけて、前記ＡＲマーカーの検出元に提供するコンテンツを登録する情報生成部と、
を有することを特徴とする広告編集装置。
【０１２１】
（付記１３）
入力されたデータに基づいて広告画像を生成し、
生成した前記広告画像を印刷するとともに、ＡＲマーカーを管理する管理装置に、生成された前記広告画像をＡＲマーカーとして登録し、
登録した前記ＡＲマーカーに対応づけて、前記ＡＲマーカーの検出元に提供するコンテンツを登録する、
処理をコンピュータに実行させることを特徴とする広告編集方法。
【符号の説明】
【０１２２】
１：情報処理装置                ２：携帯端末
３：操作端末                    １０：情報処理システム
ＡＰ１：アクセスポイント        ＡＰ２：アクセスポイント
ＮＷ：ネットワーク
【図１】
2018147137.tif 000003
【図２】
2018147137.tif 000004
【図３】
2018147137.tif 000005
【図４】
2018147137.tif 000006
【図５】
2018147137.tif 000007
【図６】
2018147137.tif 000008
【図７】
2018147137.tif 000009
【図８】
2018147137.tif 000010
【図９】
2018147137.tif 000011
【図１０】
2018147137.tif 000012
【図１１】
2018147137.tif 000013
【図１２】
2018147137.tif 000014
【図１３】
2018147137.tif 000015
【図１４】
2018147137.tif 000016
【図１５】
2018147137.tif 000017
【図１６】
2018147137.tif 000018
【図１７】
2018147137.tif 000019
【図１８】
2018147137.tif 000020
【図１９】
2018147137.tif 000021
【図２０】
2018147137.tif 000022
【図２１】
2018147137.tif 000023
【図２２】
2018147137.tif 000024